(57)【特許請求の範囲】
【請求項１】
位置に関連付けられたマークを画面上に表示する船舶航行用のマーク表示装置において、
押し込まれる回数に応じて２つ以上の属性の中から１つの属性を選択することができるとともに、回転量に応じて前記選択された属性の中で要素を選択することができる操作具と、
前記操作具の操作に応じて、前記画面上に前記マークを表示させる制御部と、
を備え、
前記制御部は、前記操作具の回転によって選択されている前記要素が切り替わるのに応じて、前記マークのうち、前記操作具によって選択されている前記要素を有するマークのみを前記画面上の対応する位置に表示させるように、前記マークの表示／非表示を切り替えることを特徴とする船舶航行用のマーク表示装置。
【請求項２】
請求項１に記載の船舶航行用のマーク表示装置であって、
前記制御部は、前記属性のうちの１つが再度選択されたとき、前記マークのうち、当該１つの属性の中で直近に選択されていた前記要素を有するマークのみを、前記画面上の対応する位置に表示させることを特徴とする船舶航行用のマーク表示装置。
【請求項３】
請求項１又は２に記載の船舶航行用のマーク表示装置であって、
前記操作具の回転操作により選択される項目は、前記選択された属性に属する全てのマーク表示を前記制御部に指示する項目を含むことを特徴とする船舶航行用のマーク表示装置。
【請求項４】
請求項１から３までの何れか一項に記載の船舶航行用のマーク表示装置であって、
前記制御部は、以前に他の前記属性についてどの前記要素を選択したかに関わらず、現在選択されている前記属性の中で選択された前記要素を有する前記マークのみを、前記操作具によって当該要素が選択されている間、前記画面上の対応する位置に表示させることを特徴とする船舶航行用のマーク表示装置。
【請求項５】
請求項１から３までの何れか一項に記載の船舶航行用のマーク表示装置であって、
前記操作具の押込み操作により選択される項目は、選択された複数の条件に合致するマーク表示を前記制御部に指示する項目を含むことを特徴とする船舶航行用のマーク表示装置。
【請求項６】
請求項１から５までの何れか一項に記載の船舶航行用のマーク表示装置であって、
前記制御部は、現在選択されている前記属性及び前記要素を表示し、現在選択されていない前記属性及び前記要素は表示しないウインドウを、前記画面上に表示させることを特徴とする船舶航行用のマーク表示装置。
【請求項７】
請求項６に記載の船舶航行用のマーク表示装置であって、
前記ウインドウは、前記マークとともに前記画面上に表示されることを特徴とする船舶航行用のマーク表示装置。
【請求項８】
請求項６又は７に記載の船舶航行用のマーク表示装置であって、
前記制御部は、前記操作具により前記属性及び前記要素を選択できる状態の間は、前記ウインドウをハイライト表示させることを特徴とする船舶航行用のマーク表示装置。
【請求項９】
請求項１から８までの何れか一項に記載の船舶航行用のマーク表示装置であって、
前記操作具を押し込む操作をすることにより、又は前記操作具を回転する操作をすることにより、前記属性及び前記要素を選択できる状態となることを特徴とする船舶航行用のマーク表示装置。
【請求項１０】
請求項１から９までの何れか一項に記載の船舶航行用のマーク表示装置であって、
最後に前記操作具を操作してから所定の時間を経過した後は、前記属性及び前記要素を
選択できない状態となることを特徴とする船舶航行用のマーク表示装置。
【発明の詳細な説明】
【技術分野】
【０００１】
本発明は、船舶航行用のマーク表示装置に関する。
【背景技術】
【０００２】
従来から、位置に関連付けられたマークを画面上に表示する船舶航行用のマーク表示装置が知られている。特許文献１及び２は、この種の船舶航行用のマーク表示装置を開示する。
【０００３】
特許文献１の船舶航行用のマーク表示装置は、釣りポイント等の重要地点を意味付けするために、漁労データ等の各種情報を付与した位置に関連付けられたマークを、航跡とともに画面上に表示できる構成となっている。
【０００４】
特許文献２が開示する船舶の航跡表示装置は、装置の利用目的に応じて多数のマークを設定し、多彩な表示を行う構成を開示する。
【０００５】
特許文献３は、回転ダイヤルと、当該回転ダイヤルに組み込まれた押釦と、を備える船舶用電子機器を開示する。マークの表示に関して特許文献３は言及していないが、特許文献３の船舶用電子機器は、押釦によって調整機能の何れかを選択するとともに、選択指定された被調整量の調整を回転ダイヤルによって行うことができる構成となっている。
【先行技術文献】
【特許文献】
【０００６】
【特許文献１】特公平８−２０２６７号公報
【特許文献２】特開平５−２８８５６２号公報
【特許文献３】特許第２９２３２５２号公報
【発明の概要】
【発明が解決しようとする課題】
【０００７】
しかし、上記特許文献１及び２の構成は、当該船舶航行用のマーク表示装置に記憶されるマークが追加されていくことによりマークの情報が大量に蓄積すると、画面に表示されている海図、レーダ映像、航跡等がマークに隠れて見えなくなったり、マークの表示が密集して個々のマークを視認することが困難となったりする場合があり、これらの点において改善の余地があった。
【０００８】
本発明は以上の事情に鑑みてされたものであり、その目的は、船舶航行用のマーク表示装置に記憶されるマークが増加しても、画面に表示させているチャート等がマークの表示に隠れて見えなくなったり、マークの表示が密集して個々のマークを視認することが困難になったりするおそれを低減し、それによりマーク表示装置の画面の視認性を確保するとともに操作性を向上することである。
【課題を解決するための手段及び効果】
【０００９】
本発明の解決しようとする課題は以上の如くであり、次にこの課題を解決するための手段とその効果を説明する。
【００１０】
本発明の観点によれば、以下のように構成される船舶航行用のマーク表示装置が提供される。即ち、船舶航行用のマーク表示装置は、位置に関連付けられたマークを画面上に表示するものであり、操作具と、制御部と、を備える。前記操作具は、押し込まれる回数に応じて２つ以上の属性の中から１つの属性を選択することができるとともに、回転量に応じて前記選択された属性の中で要素を選択することができる。前記制御部は、前記操作具の操作に応じて、前記画面上に前記マークを表示させる。前記制御部は、前記操作具の回転によって選択されている前記要素が切り替わるのに応じて、前記マークのうち、前記操作具によって選択されている前記要素を有するマークのみを前記画面上の対応する位置に表示させるように、前記マークの表示／非表示を切り替える。
【００１１】
これにより、船舶航行用のマーク表示装置に記憶されるマークが増加しても、画面に表示させているチャート等がマークに隠れて見えなくなったり、マークの表示が密集して個々のマークを視認することが困難になったりするおそれを低減できる。そのため、マーク表示装置の画面の視認性を確保することができる。また、ユーザは、絞り込まれたマークの表示が操作具の回転操作に応じて次々に変化するのを見ながら絞込みを選ぶことができるので、スマートな操作感を実現でき、操作性を向上できる。
【００１２】
前記の船舶航行用のマーク表示装置においては、前記制御部は、前記属性のうちの１つが再度選択されたとき、前記マークのうち当該１つの属性の中で直近に選択されていた前記要素を有するマークのみを、前記画面上の対応する位置に表示させることが好ましい。
【００１３】
これにより、ユーザが再度同じ属性を選択したときに、改めて要素を選択し直すことなく、直近に選択していた要素を有するマークのみを画面上の対応する位置に表示することができる。そのため、操作性を向上できる。
【００１４】
前記の船舶航行用のマーク表示装置においては、前記操作具の回転操作により選択される項目は、前記選択された属性に属する全てのマーク表示を前記制御部に指示する項目を含むように構成することが好ましい。
【００１５】
これにより、必要に応じて、当該属性に関してマークの表示を絞り込まないようにすることもでき、利便性が向上する。
【００１６】
前記の船舶航行用のマーク表示装置においては、前記制御部は、以前に他の前記属性についてどの前記要素を選択したかに関わらず、現在選択されている前記属性の中で選択された前記要素を有する前記マークのみを、前記操作具によって当該要素が選択されている間、前記画面上の対応する位置に表示させることが好ましい。
【００１７】
これにより、以前に選択していた他の属性についてどの要素を選択していたかに関わらず、現在選択している要素を有するマークのみが表示されるので、マークをどの属性により絞り込むかを簡単に切り替えられる。そのため、操作性を向上できる。
【００１８】
前記の船舶航行用のマーク表示装置においては、前記操作具の押込み操作により選択される項目は、選択された複数の条件に合致するマーク表示を前記制御部に指示する項目を含むように構成することが好ましい。
【００１９】
これにより、複数の要素を同時に有するマークのみを表示することができるため、表示されるマークの複合的な絞込みができる。そのため、マークの表示が密集しにくくなり、利便性が向上する。
【００２０】
前記の船舶航行用のマーク表示装置においては、前記制御部は、現在選択されている前記属性及び前記要素を表示し、現在選択されていない前記属性及び前記要素は表示しないウインドウを、前記画面上に表示させることが好ましい。
【００２１】
これにより、ウインドウは、属性及び要素を一覧的に表示しないから、画面を大きく占有しない。そのため、画面の視認性を十分に確保できる。
【００２２】
前記の船舶航行用のマーク表示装置においては、前記ウインドウは、前記マークとともに前記画面上に表示されることが好ましい。
【００２３】
これにより、ユーザは画面上に表示されているマークを参照しながらウインドウ内の情報も参照することができる。
【００２４】
前記の船舶航行用のマーク表示装置においては、前記制御部は、前記操作具により前記属性及び前記要素を選択できる状態の間は、前記ウインドウをハイライト表示させることが好ましい。
【００２５】
これにより、マークの表示の絞込みのために操作具の操作によって属性及び要素を選択できる状態であることがユーザにとって分かり易くなる。そのため、操作性を向上できる。
【００２６】
前記の船舶航行用のマーク表示装置においては、前記操作具を押し込む操作をすることにより、又は前記操作具を回転する操作をすることにより、前記属性及び前記要素を選択できる状態となるように構成することが好ましい。
【００２７】
これにより、ユーザが操作具を押し込む操作をすることにより、又は操作具を回転する操作をすることにより、当該操作具がマークの表示を絞り込むために属性及び要素を選択する手段として機能することとなるので、操作がユーザにとって分かり易くなる。そのため、操作性を向上できる。
【００２８】
前記の船舶航行用のマーク表示装置においては、最後に前記操作具を操作してから所定の時間を経過した後は、前記属性及び前記要素を選択できない状態となるように構成することが好ましい。
【００２９】
これにより、マークの表示を絞り込む操作をできるのが、操作具を最後に操作してから所定の時間の間に制限されるので、操作具の誤操作によりマークの表示を絞り込んでしまうおそれを低減することができる。
【図面の簡単な説明】
【００３０】
【図１】本発明の一実施形態に係る船舶航行用のマーク表示装置の正面図。
【図２】船舶航行用のマーク表示装置が備える電気的構成の要部と、操作具の構成と、を示す図。
【図３】マークに関してメモリに記憶される内容の具体例を示す説明図。
【図４】マーク表示装置に記憶されたマークの全てをディスプレイに表示させた画面を示す模式図。
【図５】マークの表示の絞込みに関して、操作具により選択することができる属性及び要素の具体例を一覧的に示す説明図。
【図６】マークの表示の絞込みに関して、魚種について「マグロ」が選択されている場合の画面を示す模式図。
【図７】図６の状態から操作具を回転させ、魚種について「カツオ」に選択を切り替えた場合の画面を示す模式図。
【図８】マークの表示の絞込みに関して、複合絞込みが選択された場合のディスプレイの様子を示す模式図。
【図９】操作具の操作に応じてマークの表示を絞り込む処理を示すフローチャート。
【図１０】図９に示す押込み処理のサブルーチンを示すフローチャート。
【図１１】図９に示す回転処理のサブルーチンを示すフローチャート。
【発明を実施するための形態】
【００３１】
次に、図面を参照して本発明の実施の形態を説明する。図１は、本発明の一実施形態に係る船舶航行用のマーク表示装置１の正面図である。図２は、船舶航行用のマーク表示装置１が備える電気的構成の要部と、操作具１３の構成と、を示す図である。図３は、マークに関してメモリ１４に記憶される内容の具体例を示す説明図である。図４は、マーク表示装置１に記憶されたマークの全てをディスプレイ１１に表示させた画面を示す模式図である。図５は、マークの表示の絞込みに関して、操作具１３により選択することができる属性及び要素の具体例を一覧的に示す説明図である。
【００３２】
図１に示す船舶用電子機器としての船舶航行用のマーク表示装置１は、当該装置を搭載した船舶の航行中において、位置に関連付けられたマークを画面（ディスプレイ）上に表示するものである。図１及び図２に示すように、マーク表示装置１は、画面としてのディスプレイ１１と、パネル１２と、操作具１３と、メモリ１４と、制御部１５と、を主要な構成として備えている。
【００３３】
マーク表示装置１は、特定の位置を緯度経度情報として記憶し、ディスプレイ１１に表示される海図やレーダ映像等の画像の対応する位置にマークとして表示する機能を有している。
【００３４】
例えば、マーク表示装置１を搭載した船舶の航行中の特定の位置において一定以上の漁獲量が得られたときに、ユーザは適宜の操作を行うことにより、釣りポイントとしてのマークをマーク表示装置１に新しく登録することができる。このとき、マークの位置に関する情報（緯度及び経度）は、当該マークを一意に識別するための識別情報（マークＩＤ）が付された形で、マーク表示装置１が備えるメモリ１４に記憶される。このように、ディスプレイ１１に表示されるマークは、位置に関連付けられている。なお、位置情報は、マーク表示装置１に接続された図示しない測位部（例えば、ＧＮＳＳ測位装置等）により取得することができる。
【００３５】
本実施形態のマーク表示装置１では、マークの登録時又は登録後にユーザがマーク表示装置１を適宜操作することにより、上記の位置に関する情報に加えて、各種の付加的な情報を当該マークに関連付けて記憶させることができる。この付加的な情報としては、例えば魚種、マークの色、マークの形、漁獲日時、底質、水温、水深、月齢、潮位、流向、流速等、様々な観点の情報を挙げることができるが、それ以外の観点の情報（例えば、漁獲した季節や漁獲量に関する情報）を含んでいてもよい。これらの付加的な情報は、メモリ１４に記憶される。
【００３６】
なお、以下の説明においては、特定の位置の情報（緯度及び経度）以外の情報（付加的な情報）を、「マークに付与された情報」等と表現することがある。
【００３７】
ディスプレイ１１は、海図やレーダ映像等の画像を表示するとともに、当該海図やレーダ映像等の画像上に自船位置、航跡、マーク等を表示するためのものである。ディスプレイ１１は、液晶等により構成されている。
【００３８】
パネル１２は、マーク表示装置１が備える筐体の前面を構成している。本実施形態では、パネル１２の正面視左側にはディスプレイ１１が配置されており、その隣（右側）には、マーク表示装置１を操作するための種々の部材（操作具１３を含む）が配置されている。ただし、パネル１２におけるディスプレイ１１及び操作具１３の配置は、事情に応じて適宜変更することができる。
【００３９】
図２に示すように、操作具１３は、押込み可能かつ回転可能に構成されている。本実施形態の操作具１３は、円柱形状のスイッチであり、その軸線がパネル１２に対して垂直となるように当該パネル１２に取り付けられている。操作具１３は、軸線と平行な方向に（筐体の背面側へ）押込み可能であるとともに、軸線を中心として時計回り及び反時計回りに回転可能である。ユーザは、この操作具１３を操作することにより、後述する属性及び要素を選択して、ディスプレイ１１上に表示するマークを絞り込むことができる。
【００４０】
マーク表示装置１は、操作具１３の押込み操作を検出可能な押込み検出回路２１を備える。押込み検出回路２１は、操作具１３の押込み操作を検出すると、制御部１５に検出信号を出力する。
【００４１】
また、マーク表示装置１は、操作具１３の回転操作を検出可能なエンコーダ２２を備える。エンコーダ２２は回転検出回路を有しており、操作具１３が所定の角度回転する毎に、制御部１５に検出信号を出力する。これにより、操作具１３の時計回り及び反時計回りの回転を所定角度毎に検出することができる。
【００４２】
制御部１５は、マーク表示装置１のディスプレイ１１に表示される画像及びマーク等の表示状態を制御することができる。後に詳述するように、制御部１５は、メモリ１４から取得した情報に基づいて、当該メモリ１４に記憶された各マークのディスプレイ１１への表示／非表示を切り替える処理を実行する。
【００４３】
メモリ１４は、不揮発性のメモリとして構成されており、マークの位置についての情報及び当該マークに付与された情報を記憶することができる。また、メモリ１４は、後述するマークの表示の絞込みに関して、操作具１３の操作により選択された属性及び要素を記憶することができる。
【００４４】
図３に示すように、メモリ１４には、マークの位置（緯度及び経度）についての情報と、当該マークに付与された情報と、がテーブル形式で記憶される。
【００４５】
上述のとおり、マークには多種多様な観点から情報を付与可能に構成されている。そこで、マーク表示装置１では、ユーザの理解を容易にするために、マークに付与可能な情報は全て、当該情報が何に関するものかという観点に基づく属性を１つだけ有するように定められている。図３には一部の属性のみが示されているが、本実施形態において、属性は、魚種、マークの色、マークの形、漁獲日時、底質、水温、水深、月齢、潮位、流向、流速となっている。
【００４６】
それぞれのマークには、複数の属性に関する情報を付与することができる。ただし、同一の属性を有する情報同士は排他的であり、１つのマークに、同一の属性を有する２以上の情報を付与することはできない。
【００４７】
マークに情報を付与する場合、ユーザはマーク表示装置１を操作し、何の観点に基づく情報であるか（言い換えれば、情報の属性）を指定し、その後に、情報の具体的な内容を選択又は指定する。例えば、マークに魚種として「マグロ」という情報を付与したい場合、ユーザは先ず、属性として「魚種」を選択する操作を行った後、「マグロ」を指定する操作を行う。なお、指定可能な情報は、「マグロ」、「赤」のような定性的な情報に限定されない。例えば「水温」という属性に関しては、「２２℃」というように定量的な情報を指定することもできる。
【００４８】
各属性の中での要素の選択又は指定は、ユーザが操作具１３の操作等により手作業で登録することに代えて、マーク表示装置１に接続された各種のセンサ（水温センサ、魚群探知機等）が検知した値に基づいて自動で入力される構成としてもよい。
【００４９】
それぞれのマークについて付与された情報は、メモリ１４に、例えば図３に示すようなテーブル形式で記憶される。図３を参照して具体的に説明すると、マークＩＤが１１１であるマークにおいて、「日時」という属性については「２０１４年８月６日  ５時３５分４３秒」が、「魚種」という属性については「カツオ」が、「水温」という属性については「２０℃」が、それぞれ記憶されている。
【００５０】
上記で列挙した属性のうち、「マークの色」及び「マークの形」の属性についての情報は必須であり、それぞれのマークについて情報がメモリ１４に必ず記憶される。従って、各マークに付与される情報には、２以上の属性についての情報が含まれる。ただし、それ以外の属性については、情報の入力は任意である。
【００５１】
以上の構成で、マーク表示装置１は、ディスプレイ１１に海図やレーダ映像等の画像を表示するとともに、当該海図やレーダ映像等の画像に重ねる形で、位置に関連付けられたマークを表示する。
【００５２】
図４には、ディスプレイ１１の表示例が示されている。図４においては、レーダ映像に重ねる形で、多数のマークが表示されている。図４の例でマークの表示の絞込みは行われていないため、マーク表示装置１に登録された全てのマークが表示されている。
【００５３】
図４に示すように、ディスプレイ１１の表示画面の端部付近の任意の位置（図４においては、右下隅）には、小さなウインドウである絞込状況ウインドウ３１が、海図やレーダ映像等に重なる形で表示されている。この絞込状況ウインドウ３１には、ユーザがマークの表示を絞り込むための操作を行ったときに、どのような絞込条件が指定されているか（具体的には、後述の絞込条件分類及び項目）を表示することができる。
【００５４】
次に、マークの表示を絞り込む際の操作具１３の操作について、図５を参照して詳述する。
【００５５】
本実施形態のマーク表示装置１では、マークの表示を、操作具１３の操作によりユーザが指定したもの（例えば、「マグロ」）と同じ情報が付与されているもののみに絞り込むことができる。これにより、マークの表示が混み合うことを防止でき、また、ユーザの希望に応じて整理された形でマークが表示されるので、ユーザの検討が容易になる。絞り込みたい情報を指定するにあたっては、マークに情報を付与する場合と同様に、情報の属性を先ず指定してから、当該情報の具体的な内容を指定するように構成されている。
【００５６】
本実施形態では、操作具１３を押し込む操作により、属性を選択できるようになっている（図５のテーブルを参照）。具体的には、操作具１３が１回押し込まれる毎に、属性が、「魚種」、「マークの色」、「マークの形」、「日時」、「底質」、「水温」、「水深」、「月齢」、「潮位」、「流向」、「流速」の順で循環的に切り替わる。そして、上記から何れか１つの属性が選択された状態で、当該属性に関する具体的な情報を（後述する操作具１３の回転操作によって）指定することで、当該情報を有するマークのみの表示をマーク表示装置１に指示することができる。ただし、操作具１３の押込み操作によって、上記のそれぞれの属性以外にも、絞込みを全く行わないことを指示する「なし」、及び、複合的な条件での絞込みを指示する「複合」に切り替えることもできるようになっている。以下の説明では、「なし」、「複合」、及び、「魚種」等の属性をまとめて、絞込条件分類と呼ぶことがある。
【００５７】
絞込条件分類として何れかの属性（例えば、「魚種」）が選択された状態では、当該属性に属する情報のうち何で絞り込むか（要素）を、操作具１３を回転する操作によって切り替えられるようになっている。ただし、工場出荷時においては、全ての属性について、当該属性では絞込みを行わないことを意味する「フィルタなし」が選択されている。この構成で、例えば、操作具１３の押込み操作により「魚種」という属性を絞込条件分類として選択した状態で、操作具１３を時計回りに回転させることにより、絞り込む情報（要素）の選択が、「フィルタなし」から「カツオ」、「マグロ」、「カジキ」、・・・の順で循環的に切り替わる。なお、操作具１３を反時計回りに回転させた場合は、切り替わる向きが逆になる。
【００５８】
このように、操作具１３を回転することにより、当該属性を有するそれぞれの要素で絞り込む項目（例えば、「カツオ」、「マグロ」、「カジキ」等）と、何れの要素でも絞り込まない項目（「フィルタなし」）と、のうち何れかを選択できるようになっている。なお、属性の中で何れの要素にも絞り込まなかった（「フィルタなし」を選択した）場合は、その属性に属する全てのマークを表示のために選択したことと実質的に同じになる。
【００５９】
操作具１３の回転操作によって選択可能な要素（項目）は、絞込条件分類として選択された属性に応じて異なる。また、水温、水深等の定量的な情報については、ある程度の幅をもった数値範囲が予め要素（項目）として複数用意されており、当該要素としての数値範囲から操作具１３の回転操作によって選択することができる。
【００６０】
ただし、絞込条件分類としてどの属性を選択した場合でも、「フィルタなし」という項目が、選択可能な項目に含まれるようになっている。これにより、必要に応じて、（当該属性について）絞込みを行わないでマークを表示させることもでき、利便性が向上する。
【００６１】
なお、絞込条件分類として「なし」又は「複合」が選択された場合は、選択すべき要素（項目）が実質的にないため、操作具１３の回転操作は無効とされる。
【００６２】
図６には、図４の状態からユーザが操作具１３を１回押し込んでマークの表示の絞込みを指定するモードに移行した後、操作具１３を何回か押し込んで「魚種」という属性を選択し、操作具１３を回転して「マグロ」という要素を選択した状態が示されている。この結果、表示されるマークが、「マグロ」という情報を付与されたもののみに絞られている。
【００６３】
図７には、図６の状態から操作具１３を更に回転して「カツオ」を選択した状態が示されている。この操作により、「マグロ」でのマークの表示の絞込みが解除されるとともに、表示されるマークが、「カツオ」という情報を付与されたもののみに絞り込まれる。このように、操作具１３の回転操作だけで絞込み表示がリアルタイムで切り替わるので、直感的な操作を実現することができる。
【００６４】
次に、図９から図１１までを参照して、操作具１３を操作することにより属性及び要素を選択して、マーク表示装置１のディスプレイ１１上に表示するマークを絞り込む一連の処理について詳細に説明する。図９は、操作具１３の操作に応じてマークの表示を絞り込む処理を示すフローチャートである。図１０は、操作具１３の押込み操作に伴って行われるサブルーチンを示すフローチャートである。図１１は、操作具１３の回転操作に伴って行われるサブルーチンを示すフローチャートである。
【００６５】
最初に、マークの表示を絞り込む処理の契機となる操作について説明する。即ち、マーク表示装置１にレーダ映像等とともにマークを単に表示させた図４の状態では、絞込みのための属性及び要素を操作具１３により選択できる状態にはなっていない。一方で、ユーザが操作具１３を押し込む操作をすることにより、又は操作具１３を回転する操作をすることにより、絞込みの指定が可能なモード（以下、絞込指定モードと呼ぶことがある）となり、図９に示すメインルーチンが実行される。これにより、ユーザにとって理解し易い操作を実現できる。
【００６６】
絞込指定モードになった場合、その旨をユーザに分かり易く知らせるために、上記の絞込状況ウインドウ３１がハイライト表示される。ハイライト表示の態様は任意であり、具体例としては、ウインドウの枠を点滅させたり、ウインドウの枠を上記の通常状態の場合とは異なる色で表示させたりすることが考えられる。なお、図６から図８までにおいては、図面での説明の便宜上、ウインドウ枠を二重線とすることでハイライト表示を表現している。
【００６７】
図９に示すように、まず、制御部１５は、操作具１３が押し込まれる操作がされたか否かを判定する（ステップＳ１０１）。操作具１３の押込み操作がされていた場合、制御部１５は、サブルーチンである押込み処理を実行する（ステップＳ１０２）。なお、押込み処理は図１０に示されており、その詳細については後述する。
【００６８】
ステップＳ１０１の判断において、押込み操作がされていなかった場合、制御部１５は、操作具１３の回転操作がされたか否かを判定する（ステップＳ１０３）。操作具１３の回転操作がされていた場合、制御部１５は、サブルーチンである回転処理を実行する（ステップＳ１０４）。なお、回転処理は図１１に示されており、その詳細については後述する。
【００６９】
押込み処理又は回転処理を行った後、制御部１５は、フィルタ条件が変化したか否かを調べる（ステップＳ１０５）。フィルタ条件が変化した場合は、制御部１５は、新しいフィルタ条件に従ってマーク表示の絞込みを更新し（ステップＳ１０６）、更に、絞込状況ウインドウ３１の表示を更新した後（ステップＳ１０７）、ステップＳ１０１の処理に戻る。ステップＳ１０５の判断において、フィルタ条件が変化していない場合は、ステップＳ１０１の処理に戻る。
【００７０】
このように、押込み処理及び回転処理に対応してマーク表示の絞込みが更新されるので、操作具１３の操作によってマークの絞込みがリアルタイムに変化する良好な操作性を実現することができる。
【００７１】
なお、図９では処理を具体的に図示していないが、操作具１３の押込み操作も回転操作も行われない状態が所定時間継続した場合には、図９のフローを打ち切って絞込指定モードを終了するように構成されている。これにより、操作具１３によってマークの絞込み操作をできるのが、操作具１３を最後に操作してから所定の時間の間に制限されることになるので、操作具１３の誤操作によりマークの表示を絞り込んでしまうおそれを低減することができる。
【００７２】
次に、操作具１３の押込み操作がされたときに行われる押込み処理のサブルーチンについて詳細に説明する。図１０に示す押込み処理のサブルーチンがスタートすると、制御部１５は、絞込条件分類の選択を循環的に１つ切り替える（ステップＳ２０１）。これにより、絞込条件分類が「なし」であった場合は「魚種」に、「魚種」であった場合は「色」に、・・・、「複合」であった場合は「なし」に、というように、絞込条件分類の選択が切り替わることになる（図５を参照）。
【００７３】
そして、制御部１５は、切替り後の絞込条件分類が「なし」であるか否かを調べる（ステップＳ２０２）。絞込条件分類がステップＳ２０１の処理で「なし」に切り替わっていた場合は、マークを全て表示させるために、フィルタ条件を全リセットする（ステップＳ２０３）。ただし、このフィルタ条件の全リセットは、後述のステップＳ３０３でメモリ１４に記憶された選択項目の内容を破棄するものではない。その後、当該サブルーチンが終了する。
【００７４】
ステップＳ２０２の判断で、切替り後の絞込条件分類が「なし」でなかった場合、制御部１５は、切替り後の絞込条件分類が「複合」であるか否かを調べる（ステップＳ２０４）。絞込条件分類がステップＳ２０１の処理で「複合」に切り替わっていた場合は、以前の操作具１３の操作によってメモリ１４に記憶された選択項目（後述のステップＳ３０３で記憶される選択項目）を、全ての属性について読み込み、選択されていた要素を全て有するマークのみを表示するようにフィルタ条件を設定する（ステップＳ２０５）。これにより、マークの表示の複合的な絞込みが実現される。即ち、選択された複数の条件に合致するマークのみを表示することが可能となる。その後、当該サブルーチンが終了する。
【００７５】
ステップＳ２０４の判断で、切替り後の絞込条件分類が「複合」でなかった場合は、絞込条件分類が、ステップＳ２０１の処理で、「魚種」等の属性の何れかに切り替わったことを意味する。従って、制御部１５は、当該属性について、以前の操作具１３の操作によってメモリ１４に記憶された選択項目（後述のステップＳ３０３で記憶される選択項目）を読み込み、選択されていた要素を有するマークのみを表示するようにフィルタ条件を設定する（ステップＳ２０６）。これにより、マークの表示の単一条件での絞込みが実現される。その後、当該サブルーチンが終了する。
【００７６】
続いて、操作具１３の回転操作がされたときに行われる回転処理について詳細に説明する。図１１に示す回転処理のサブルーチンがスタートすると、制御部１５は、現在の絞込条件分類が「なし」又は「複合」であるか否かを調べる（ステップＳ３０１）。「なし」又は「複合」であった場合は、回転操作に対して何ら処理を行わずに、サブルーチンを終了する。
【００７７】
ステップＳ３０１の判断で、絞込条件分類が「なし」でも「複合」でもなかった場合（即ち、「魚種」等の属性の何れかの場合）は、制御部１５は、当該絞込条件分類における項目の選択を、操作具１３の回転方向に応じて循環的に１つ切り替える（ステップＳ３０２）。これにより、例えば絞込条件分類が「魚種」である場合、操作具１３が時計回りに回転したときは、項目が「フィルタなし」であった場合は「カツオ」に、「カツオ」であった場合は「マグロ」に、・・・というように、選択が切り替わることになる（図５を参照）。なお、操作具１３が反時計回りに回転するときは、切り替わる向きが逆になる。
【００７８】
その後、制御部１５は、切り替わった後の選択項目をメモリ１４に記憶させる（ステップＳ３０３）。メモリ１４は、直近に選択された項目を、それぞれの属性について記憶できるように構成されている。今回は、当該属性に関して、切替り後の選択項目がメモリ１４に記憶されることになる。メモリ１４に記憶された内容は、前述のステップＳ２０５及びＳ２０６の処理で用いられる。
【００７９】
次に、制御部１５は、切替り後の項目が「フィルタなし」であるか否かを調べる（ステップＳ３０４）。項目がステップＳ３０２の処理で「フィルタなし」に切り替わった場合は、マークを全て表示させるために、フィルタ条件を全リセットする（ステップＳ３０５）。ただし、このフィルタ条件の全リセットは、ステップＳ３０３でメモリに記憶された選択項目の内容を破棄するものではない。その後、サブルーチンが終了する。
【００８０】
ステップＳ３０４の判断で、切り替わった後の選択項目が「フィルタなし」以外だった場合、当該選択項目に従ってフィルタ条件を設定する（ステップＳ３０６）。具体的には、絞込条件分類が「魚種」等の属性の何れかである場合は、当該属性について指定された要素（例えば、「マグロ」）を有するマークのみが表示されるように、フィルタ条件が設定される。なお、この場合において、当該属性以外の属性での絞込みは行われない（単一条件での絞込み）。その後、サブルーチンが終了する。
【００８１】
このように、本実施形態のマーク表示装置１では、所望の属性を選択した状態で操作具１３を回転させるだけで、図６及び図７に示すように、マークの表示の絞込みをリアルタイムで変化させることができる。これにより、直感的で良好な操作性を実現することができる。
【００８２】
また、メモリ１４は、直近に選択した要素をそれぞれの属性について記憶可能に構成されている。そして、操作具１３の押込み操作によって属性の選択を例えば「魚種」に切り替えた場合には、制御部１５は、当該属性「魚種」において過去に例えば「マグロ」の要素を選択していた場合、ステップＳ２０６の処理でメモリ１４の記憶内容を読み出すことにより、直近に選択した要素である「マグロ」が自動的に選択された状態となる。なお、これに伴って、マークの表示の絞込みも、「マグロ」を有するもののみに自動的に更新される。これにより、ユーザは、再度同じ属性（「魚種」）を選択したときに、改めて要素（「カツオ」、「マグロ」、「カジキ」、・・・）の中から前回選択した要素（「マグロ」）を選択し直すことなく、特定の要素（「マグロ」）に絞り込んだ結果をディスプレイ１１上に表示させることができる。従って、更に良好な操作感を実現することができる。
【００８３】
一方で、操作具１３の押込み操作によって属性の選択を例えば「色」に切り替えた場合には、制御部１５は、他の属性（例えば「魚種」）について過去に何を選択したかにかかわらず、当該「色」で選択されている要素（例えば、赤）を有するマークのみを表示させる。これにより、マークをどの属性により絞り込むかを簡単に切り替えられることができるので、単一条件での絞込みを中心にしたシンプルな操作体系を実現できるとともに、操作性を向上できる。
【００８４】
一方で、マーク表示装置１は、操作具１３を所定の回数押し込む操作によって、絞込条件分類として「複合」を選択すると、過去にそれぞれの属性について指定した要素を用いたマークの表示の複合的な絞込みが可能になっている。例えば、魚種として「カツオ」、水温として「２〜３℃」という情報を何れも有するマークのみを表示させたい場合、まず、操作具１３を何回か押し込んで絞込条件分類（属性）として「魚種」を指定し、回転操作で「カツオ」を指定し、次に、操作具１３を何回か押し込んで絞込条件分類（属性）として「水温」を指定し、回転操作で「２〜３℃」を指定する。その後、操作具１３を何回か押し込んで絞込条件分類として「複合」を選択すれば良い。このように、本実施形態のマーク表示装置１では、複合的な絞込みを、ユーザが操作具１３を数回程度押し込むことにより簡単に行うことができる。そのため、マークの表示がより密集しにくくなるので、利便性を向上させることができる。
【００８５】
次に、絞込状況ウインドウ３１について説明する。絞込状況ウインドウ３１には、現在選択されている絞込条件分類及び項目が表示される。例えば、図６の例では、絞込条件分類（要素）として「魚種」を、項目（要素）として「マグロ」を、それぞれ選択した場合が示されている。この構成で、操作具１３の押込み操作及び回転操作がされてフィルタ条件が変更されると、表示されるマークの絞込みが更新されるとともに、絞込状況ウインドウ３１の表示内容が更新される。
【００８６】
絞込状況ウインドウ３１において、表示される絞込条件分類（「魚種」）の近傍には、操作具１３の押込み操作を示すアイコンが表示され、表示される項目（「マグロ」）の近傍には、操作具１３の回転操作を示すアイコンが表示される。これにより、ユーザは、マークの表示の絞込みに関する操作具１３の操作を容易に理解することができる。
【００８７】
ここで、絞込状況ウインドウ３１には、現在選択されている絞込条件分類（属性）及び項目（要素）を表示し、それ以外の絞込条件分類（属性）及び項目（要素）は表示しないように構成されている。例えば、図６の例では、現在選択されている絞込条件分類（属性）である「魚種」は絞込状況ウインドウ３１に表示されるが、それ以外の絞込条件分類である「色」、「形」、・・・、「なし」、「複合」は表示されない。また、図６の例では、現在選択されている項目（要素）である「マグロ」は絞込状況ウインドウ３１に表示されるが、それ以外の項目である「カツオ」、「カジキ」、・・・、「フィルタなし」は表示されない。この構成により、属性及び項目の一覧（リスト）を表示してその中からユーザに選択させるようなユーザインタフェースと比較して、操作表示内容の簡素化によって絞込状況ウインドウ３１を小さくでき、ディスプレイ１１の画面を大きく占有しないようにすることができる。従って、当該絞込状況ウインドウ３１をディスプレイ１１に表示させても、ユーザがディスプレイ１１上の海図やレーダ映像等を参照するときの妨げにならないようにすることができる。
【００８８】
以上に説明したように、本実施形態のマーク表示装置１は、位置に関連付けられたマークを画面としてのディスプレイ１１上に表示する船舶航行用のマーク表示装置１であって、操作具１３と、制御部１５と、を備える。そして、制御部１５は、操作具１３の回転によって選択されている要素が切り替わるのに応じて、即時に、マークのうち、操作具１３によって選択されている要素を有するマークのみをディスプレイ１１上の対応する位置に表示させるように、マークの表示／非表示を切り替える。本実施形態で示した例においては、要素として「マグロ」を選択した図６の状態と、操作具１３の回転操作によって要素の選択を「カツオ」に切り替えた図７の状態と、を比較すれば分かるように、操作具１３の回転に応じて絞込みが次々と即時に切り替わる。
【００８９】
これにより、ユーザが釣りポイントを登録すること等によりマーク表示装置１に記憶されるマークが増加しても、ディスプレイ１１に表示させているチャート等がマークに隠れて見えなくなったり、マークの表示が密集して個々のマークを視認することが困難になったりするおそれを低減できる。また、マーク表示装置１がタッチパネルを備え、ユーザがディスプレイ１１上のマークに触れることにより当該マークを選択して種々の設定及び操作を行うことができるように構成されている場合も考えられる。その場合、本実施形態のように構成することにより、マークが密集してマークを選択することが困難になったりするおそれも低減できる。そのため、マーク表示装置１のディスプレイ１１の視認性を確保することができる。また、ユーザは、絞り込まれたマークの表示が操作具１３の回転操作に応じて次々に変化するのを見ながら絞込みを選ぶことができるので、スマートな操作感を実現でき、操作性を向上できる。
【００９０】
以上に本発明の好適な実施の形態を説明したが、上記の構成は例えば以下のように変更することができる。
【００９１】
上記実施形態では、操作具１３は円柱形状のスイッチとして構成されているが、操作具は押込み操作と回転操作とが可能である操作具であればよく、その具体的な形状は適宜変更することができる。例えば、操作具は、回転可能な回転ダイヤルと、その中央部に配置された押ボタンと、で構成されるものとすることもできる。あるいは、操作具は、コンピュータのポインティングデバイスとして良く知られているホイール付きマウスにおけるホイール（押込み操作が可能なもの）のような構成とすることもできる。
【００９２】
上記実施形態で操作具１３の操作に割り当てられている属性及び要素は、例として示したに過ぎず、その属性及び要素の種類、数、及び順番は適宜変更することができる。
【００９３】
上記実施形態では、マーク表示装置１の本体の制御部１５が、操作具１３の操作に応じて、画面としてのディスプレイ１１にマークを表示させる構成となっている。しかしながら、表示画面の制御を行う制御部（表示制御部）が、本体の制御部とは独立して備えられ、当該表示制御部がディスプレイ１１にマークを表示させる制御を行う構成としても良い。
【００９４】
適宜の操作によって、全ての属性について要素を「フィルタなし」に設定する全リセットが可能に構成されていても良い。この場合、利便性を更に向上させることができる。
【符号の説明】
【００９５】
１  船舶航行用のマーク表示装置
１１  ディスプレイ（画面）
１３  操作具
１５  制御部
３１  絞込状況ウインドウ（ウインドウ）
【図１】
0006552842.tif 000002
【図２】
0006552842.tif 000003
【図３】
0006552842.tif 000004
【図４】
0006552842.tif 000005
【図５】
0006552842.tif 000006
【図６】
0006552842.tif 000007
【図７】
0006552842.tif 000008
【図８】
0006552842.tif 000009
【図９】
0006552842.tif 000010
【図１０】
0006552842.tif 000011
【図１１】
0006552842.tif 000012